(57)【要約】【課題】  搬送ベルトの着脱作業を極めて簡単に行うことができる玉揚送装置を提供する。【解決手段】  搬送ベルト１５に張力を付与するために該搬送ベルト１５を交互に掛け渡す複数のテンションローラ３１，４０，４０のうち、一方のテンションローラ３１を揚送筒本体１２に固定される固定ボックス３０に回転自在に軸支し、他方のテンションローラ４０，４０を固定ボックス３０に対して開閉自在に設けられる開閉蓋ボックス３９の前面側に回転自在に軸支したことにより、開閉蓋ボックス３９を開放したときに、搬送ベルト１５がテンションローラ３１，４０，４０による挟持状態でなくなるので、搬送ベルト１５の着脱の際に、テンションローラ３１，４０，４０を取り外す必要がなく、その作業を極めて簡単に行うことができる。【選択図】        図４
2007054659.tif 000002
【特許請求の範囲】
【請求項１】
揚送筒本体の上下に回転自在に軸支される上部ローラ及び下部ローラ間を周回せしめられる搬送ベルトによってパチンコ玉を揚送する玉揚送装置において、
前記搬送ベルトに張力を付与するために該搬送ベルトを交互に掛け渡す複数のテンションローラのうち、一方のテンションローラを前記揚送筒本体に固定される固定ボックスに回転自在に軸支し、他方のテンションローラを前記固定ボックスに対して開閉自在に設けられる開閉蓋ボックスの前面側に回転自在に軸支したことを特徴とする玉揚送装置。
【請求項２】
前記複数のテンションローラのうち、少なくとも１個のテンションローラに張力を可変するための調節機構を設けたことを特徴とする請求項１記載の玉揚送装置。
【発明の詳細な説明】
【技術分野】
【０００１】
本発明は、揚送筒本体の上下に回転自在に軸支される上部ローラ及び下部ローラ間を周回せしめられる搬送ベルトによってパチンコ玉を揚送する玉揚送装置に関するものである。
【背景技術】
【０００２】
従来、図８に示すように、モータ４６によって揚送筒本体１２の上下に回転自在に軸支される上部ローラ１４及び下部ローラ１３間を周回せしめられる搬送ベルト１５によってパチンコ玉を揚送する玉揚送装置１０においては、搬送ベルト１５に張力を付与するために搬送ベルト１５が交互に掛け渡される複数のテンションローラ３１，４０，４０のすべてが揚送筒本体１２側に回転自在に固着され、また、搬送ベルト１５を駆動するためのモータ４６が支持台１１に支持固定されるモータ取付台４６ａに固着されていた。
【発明の開示】
【発明が解決しようとする課題】
【０００３】
このため、搬送ベルト１５の交換時や点検時等に、搬送ベルト１５を取り外す際及び取り付ける際に、少なくとも１つのテンションローラ３１を取り外してからでないと搬送ベルト１５の脱着をすることができないので、その脱着作業が面倒であり時間のかかるものであった。本発明は、上記した事情に鑑みなされたもので、その目的とするところは、搬送ベルトの着脱作業を極めて簡単に行うことができる玉揚送装置を提供することにある。
【課題を解決するための手段】
【０００４】
上記した目的を達成するために、本発明においては、図３乃至図７に示すように、モータ４６によって揚送筒本体１２の上下に回転自在に軸支される上部ローラ１４及び下部ローラ１３間を周回せしめられる搬送ベルト１５によってパチンコ玉を揚送する玉揚送装置１０において、前記搬送ベルト１５に張力を付与するために該搬送ベルト１５を交互に掛け渡す複数のテンションローラ３１，４０，４０のうち、一方のテンションローラ３１を前記揚送筒本体１２に固定される固定ボックス３０に回転自在に軸支し、他方のテンションローラ４０，４０を前記固定ボックス３０に対して開閉自在に設けられる開閉蓋ボックス３９の前面側に回転自在に軸支したことを特徴とする。また、前記複数のテンションローラ３１，４０，４０のうち、少なくとも１個のテンションローラ３１に張力を可変するための調節機構としての調節支持杆３２及びナット３３を設けることができる。
【発明の効果】
【０００５】
開閉蓋ボックス３９を開放したときに、搬送ベルト１５がテンションローラ３１，４０，４０による挟持状態でなくなるので、搬送ベルト１５の着脱の際に、テンションローラ３１，４０，４０を取り外す必要がなく、その作業を極めて簡単に行うことができる。また、ナット３３を回動して調節支持杆３２の長さを調節してテンションローラ３１の突出量を変化させることができ、これによって搬送ベルト１５の張力を調節することができる。
【発明を実施するための最良の形態】
【０００６】
以下、図面を参照して本発明の実施形態について説明する。まず、図１を参照して、本実施形態に係る玉揚送装置１０が設けられるパチンコ島台１の概略構成について説明する。図１は、実施形態に係るパチンコ島台１の中央部分の一側から見た側面図である。図において、パチンコ島台１は、周知のように、直方体状に枠組み構成され、その長手方向側面中央にパチンコ機２を背向列設するようになっている。また、パチンコ島台１には、その中央部に揚送装置収納部３が構成され、該揚送装置収納部３内に本実施形態の要部を構成する玉揚送装置１０が収納設置されている。本実施形態に係る玉揚送装置１０は、後に詳述するように帯状の搬送ベルト１５によってパチンコ玉を揚送するものである。なお、詳細に図示しないが、玉揚送装置１０の上部には、揚送されたパチンコ玉を一時的に貯留する上部タンクが設けられ、その上部タンクから左右に補給樋が傾斜状に設けられており、上部タンクからパチンコ玉を流下させるようになっている。補給樋には、各パチンコ機２に対応して分配シュートが設けられ、補給樋を流下するパチンコ玉を取り込むようになっている。分配シュートによって取り込まれたパチンコ玉は、下部に設けられる計数装置によって計数された後、パチンコ機２の背面上部に設けられる賞球タンクに供給され、遊技によって遊技者に払い出される賞球として使用される。
【０００７】
一方、各パチンコ機２から排出される使用済玉は、周知のように計数機能を有するアウト玉回収箱から下方に排出される。アウト玉回収箱から排出されたパチンコ玉は、アウト玉誘導レールや貯留タンクを介して玉揚送装置１０の導入樋１６に誘導される。
【０００８】
次に、本実施形態の要部を構成する玉揚送装置１０の全体の構成について図２乃至図７を参照して説明する。図２は、玉揚送装置１０を後方から見た斜視図であり、図３は、玉揚送装置１０の側面図であり、図４は、玉揚送装置１０の下方部分であって開閉蓋ボックス３９を開放した状態を示す斜視図であり、図５は、玉揚送装置１０の下方部分の側面図であり、図６は、玉揚送装置６の下方部分のモータ４６と下部ローラ１３との関係を示す斜視図であり、図７は、開閉蓋ボックス３９を開放したときのモータ４６と下部ローラ１３との関係を示す斜視図である。
【０００９】
図において、玉揚送装置１０は、支持台１１の上部に揚送筒本体１２が垂直状に立設され、揚送筒本体１２の周囲を下部に支持される下部ローラ１３と上部ローラ１４との間に掛け渡される革製の搬送ベルト１５が周回するようになっている。この搬送ベルト１５の周回駆動は、後に詳述するテンションローラ機構が一体的に設けられるボックス３０，３９のうちの開閉蓋ボックス３９の裏面に固着されるモータ取付板４５に固定されるモータ４６と下部ローラ１３とが駆動ベルトとしてのＶベルト４９によって連結されることによって行われる。また、搬送ベルト１５に張力を付与するために複数のテンションローラ機構が下部ローラ１３の上部の揚送筒本体１２に取り付けられている。そして、揚送筒本体１２の下部には、玉磨き前のパチンコ玉が流入して複数列に整列せしめられる導入樋１６が接続され、揚送筒本体１２の上部には、玉磨き後のパチンコ玉が排出される上部屈曲樋１８及び排出樋１９が接続されている。
【００１０】
したがって、導入樋１６から流入したパチンコ玉は、搬送ベルト１５によって揚送され、排出樋１９から排出されるが、その揚送される過程で後述するガイドレールカバー２０に周設される布ベルトとの摩擦力によってパチンコ玉に付着した汚れが拭き取られ、排出樋１９からは、奇麗にされたパチンコ玉が排出されることになる。なお、導入樋１６には、図３に示すように、導入樋１６の傾斜角を調整する傾斜角調整ボルト１７が設けられている。この傾斜角調整ボルト１７には、スプリングが周設されており、内部を流れる玉によって導入樋１６に無理な力が加わったときでも玉がスムーズに整列されるような構造となっている。
【００１１】
一方、前記した揚送筒本体１２の背面側には、ガイドレールカバー２０が着脱自在に取り付けられるようになっている。このガイドレールカバー２０は、前記搬送ベルト１５や布ベルトを玉揚送装置１０に装着する際に取り外されるものであると共に、布ベルト自体がガイドレールカバー２０を周回するように装着される。そして、搬送ベルト１５や布ベルトが装着された時には、止め金具２５によってガイドレールカバー２０を揚送筒本体１２に対面させた状態に維持される。ただし、揚送筒本体１２とガイドレールカバー２０との間には、隙間が形成されることとなるが、この隙間は、止め金具２５の固着位置を調節することによってその寸法を設定することができ、その設定値に応じて揚送されるパチンコ玉への圧力を変化させることができる。また、ガイドレールカバー２０には、その背面に使用前のロール状布ベルトを装着する使用前布ベルト装着部２１と使用済の布ベルトをロール状に巻き取るための使用済布ベルト装着部２２とが設けられ、その上端後部に布ベルトを案内するためのローラ２３が設けられている。
【００１２】
しかして、使用前布ベルト装着部２１に装着された布ベルトは、ガイドレールカバー２０の下端から前面を通ってローラ２３に掛け渡され、その後、使用済布ベルト装着部２２に巻き付けられる。そして、そのように布ベルトを装着した状態で止め金具２５でガイドレールカバー２０を揚送筒本体１２に装着することにより、布ベルトと搬送ベルト１５とを対面させ、搬送ベルト１５を周回動作させることによりパチンコ玉がガイドレールカバー２０の前面に形成される複数の玉通路に嵌り込みながら布ベルトに汚れをふき取られながら上昇するものである。なお、営業終了時には、使用前布ベルト装着部２１に設けられるチャッキング装置を弛めて布ベルトが移動し得るようにした状態で、裏面上部の布ベルトを引っ張って未使用面をガイドレールカバー２０の前面側に位置させるようにし、その引っ張って余った布ベルトを使用済布ベルト装着部２２を巻き付け、前記チャッキング装置を締め付ける。これによって、翌日の研磨に対する準備が終了する。また、この布ベルトの巻き取り作業は、ガイドレールカバー２０を揚送筒本体１２から取り外した状態で行っても、あるいは取り付けたままの状態でも行うことができるが、新規な布ベルトを交換する場合には、ガイドレールカバー２０を揚送筒本体１２から取り外す必要がある。
【００１３】
また、上記した玉揚送装置１０の揚送筒本体１２とガイドレールカバー２０とは、揚送筒本体１２の両側面の複数箇所に止着されている止め金具２５によって取り付けられるが、その止め金具２５は、ガイドレールカバー２０の側面から突設される係合突起２４を支持し係合するものであり、揚送筒本体１２の両側面の複数箇所に設けられる止め金具２５が連結杆２６で連結され、該連結杆２６を下方に移動させた位置で固定するキャッチクリップ２７で係止することにより、止め金具２５と係合突起２４との係合状態を解除し、ガイドレールカバー２０を揚送筒本体１２に対して取り外すことができる。逆に、キャッチクリップ２７の係止状態を外すことにより、止め金具２５と係合突起２４とを係合状態にしてガイドレールカバー２０を揚送筒本体１２に対して取り付けることができる。なお、図２に示すように、ガイドレールカバー２０を揚送筒本体１２に対してその一側を蝶番２８によって連結しても良い。この場合には、蝶番２８によって連結される側の止め金具２５を省略しても良いが、蝶番２８の固定に関しては、揚送筒本体１２とガイドレールカバー２０との間の隙間を調節し得るように移動可能に固定し得ることが望ましい。
【００１４】
次に、本実施形態の要部を構成するテンションローラ機構及び搬送ベルト１５の駆動源であるモータ４６の取付構造について、図３乃至図７を参照して説明する。テンションローラ機構は、一方のテンションローラを構成する第一テンションローラ３１を回転自在に軸支すると共に前記揚送筒本体１２に固着される固定ボックス３０と、該固定ボックス３０に開閉自在に軸支され且つ他方のテンションローラを構成する第二テンションローラ４０，４０を回転自在に軸支する開閉蓋ボックス３９に集約して構成されるものである。以下、この構成について詳細に説明する。
【００１５】
固定ボックス３０は、前面及び上下面が開放したコ字状の板材によって構成されており、その中程に第一テンションローラ３１が回転自在に軸支されている。即ち、固定ボックス３０の中程両側に螺着支持される調節支持杆３２に第一テンションローラ３１の回転軸が連結支持されている。そして、調節支持杆３２の後端は、固定ボックス３０の裏面に突出してナット３３で締着するようになっている。しかして、ナット３３を弛めて調節支持杆３２を回転せしめることにより第一テンションローラ３１を前後方向に長さ調節し得るようになっている。したがって、調節支持杆３２及びナット３３は、調節機構を構成するものである。なお、調節支持杆３２を固定ボックス３０に螺着することに代えて、調節支持杆３２を固定ボックス３０に貫通自在に設けると共に調節支持杆３２にスプリングを周設し、調節支持杆３２の固定ボックス３０から外側に突出する後端にナットを螺着することにより、ナットの螺着位置で調節支持杆３２の長さを調節すると共に周設されるスプリングで第一テンションローラ３１を常に前方に付勢するようにしても良い。このように構成することにより、搬送ベルト１５の旋回中でも常時調節支持杆３２に周設されるスプリングにより搬送ベルト１５に最適な張力を付与することができる。
【００１６】
また、固定ボックス３０には、その一側であって第一テンションローラ３１の上部に支持片３６が突設され、該支持片３６に雌ネジが形成される固定穴３５を有する揺動固定部材３４が支点ボルト３７によって揺動自在に取り付けられている。この揺動固定部材３４は、開閉蓋ボックス３９を閉止する際に、開閉蓋ボックス３９に設けられる固定ボルト４３を固定穴３５に螺合するためのものであり、初期の段階で固定ボルト４３の先端が固定穴３５に正確に対面するように揺動自在に設けられるものである。
【００１７】
上記した固定ボックス３０に開閉自在に取り付けられる開閉蓋ボックス３９は、図６に示すように、蝶番３８によって開閉自在に取り付けられるものであるが、その上下には、開閉蓋ボックス３９の内側上下左右に固着される支持片４１，４２に第二テンションローラ４０，４０が回転自在に軸支されている。この第二テンションローラ４０，４０の支持片４１，４２に対する固定は、ボルト等によって完全に固定されるものであり、第一テンションローラ３１のように前後方向に調節する調節機能はない。しかし、第二テンションローラ４０，４０を前後方向に移動し得るようにして前記と同様な調節機能を設けても良い。
【００１８】
また、開閉蓋ボックス３９の開放側のほぼ中央には、固定ボルト４３が回転自在に遊嵌されており、該固定ボルト４３の先端の六角頭部４４が開閉蓋ボックス３９の裏面側に突出している。しかして、開閉蓋ボックス３９を固定ボックス３０に対して閉止するときには、固定ボルト４３の先端を揺動固定部材３４の固定穴３５に対応させて六角頭部４４をスパナ等の工具で螺着することにより、開閉蓋ボックス３９を固定ボックス３０に閉止することができる。
【００１９】
ところで、開閉蓋ボックス３９を開放した状態では、第一テンションローラ３１の前方に搬送ベルト１５を位置させておき、その状態で上記したように固定ボルト４３と固定穴３５とを螺合することにより、第５図に示すように、第一テンションローラ３１と第二テンションローラ４０，４０とが同一垂直線上に並び、搬送ベルト１５が第一テンションローラ３１と第二テンションローラ４０，４０とに交互に掛け渡された状態となる。つまり、開閉蓋ボックス３９を閉じるだけで搬送ベルト１５に張力を付与することができるので、搬送ベルト１５の着脱の際に、いずれのテンションローラ３１，４０，４０を取り外す必要がなく、その作業を極めて簡単に行うことができる。なお、第一テンションローラ３１と第二テンションローラ４０，４０とが必ずしも同一垂直線上に並ぶ必要はなく、要は、搬送ベルト１５が複数のテンションローラ３１，４０，４０によって交互に掛け渡されて張力が付与される構造であれば良い。
【００２０】
また、上記した開閉蓋ボックス３９の裏面には、モータ取付板４５を介してモータ４６が取り付けられるようになっている。モータ４６の出力軸には、小径のプーリ４７が固着され、この小径プーリ４７と前記下部ローラ１３の回転軸に固着される大径プーリ４８との間にＶベルト４９を掛け渡すことにより、モータ４６の回転駆動力が下部ローラ１３に伝達されて搬送ベルト１５が揚送筒本体１２を周回するようになっている。
【００２１】
ところで、モータ取付板４５の上下の二箇所（ただし、下方部の二箇所は図示せず）には、図７に示すように、縦長穴５０が穿設され、該縦長穴５０を貫通して固定ボルト５１が螺着されている。更に、図５に示すように、モータ取付板４５の下辺の一部に当接するように下部調節ボルト５２が開閉蓋ボックス３９から水平状に突設される螺着片５３に螺着され、一方、図７に示すように、モータ取付板４５の上辺の一部に当接するように上部調節ボルト５４が開閉蓋ボックス３９から水平状に突設される螺着片５５に螺着されている。なお、上部調節ボルト５４の下端には、挟持板５６が固着されており、この挟持板５６がモータ取付板４５の上辺と直接的に当接するようになっている。これと同様に、下部調節ボルト５２にも挟持板を固着してモータ取付板４５の下辺と直接的に当接するようにしても良い。
【００２２】
しかして、上記のように構成されるモータ４６と下部ローラ１３との関係において、六角頭部４４をスパナ等の工具によって回転せしめて固定ボルト４３と固定穴３５との螺合を解除し、開閉蓋ボックス３９を閉成した状態から開放した状態としたときに、図７に示すように、Ｖベルト４９が掛け渡される２つのプーリ４７，４８が極めて近付く位置関係となるため、特別な治具を使用しなくても簡単にＶベルト４９を取り外すことができる。また、逆に、開閉蓋ボックス３９を閉成する前の２つのプーリ４７，４８が近付いている状態でＶベルト４９を２つのプーリ４７，４８に掛け渡し、その掛け渡した状態のまま開閉蓋ボックス３９を閉成し、揺動固定部材３４を揺動させて固定穴３５と固定ボルト４３とを対応させて六角頭部４４を回転せしめることにより、極めて簡単にＶベルト４９を取り付けることができる。更に、モータ４６が開閉蓋ボックス３９の裏面に固着されるため、従来のようにモータ取付台を支持台１１と平行状に設けていないので、モータ４６の取付スペースも少なくて済む。
【００２３】
また、図５及び図７に示すように、開閉蓋ボックス３９を閉じ且つ２つのプーリ４７，４８間にＶベルト４９を掛け渡した状態でモータ取付板４５の固定ボルト５１を弛め、Ｖベルト４９の張力を強くしたい場合には、上部調節ボルト５４を弛めた後、下部調節ボルト５２を上昇せしめるように回転することにより、モータ取付板４５を上方に移動させることができて２つのプーリ４７，４８間の距離を長くすることができ、Ｖベルト４９の張力を強め、最後に上部調節ボルト５４を締着して調節した張力を長期間に亘って保持することができる。逆に、Ｖベルト４９の張力を弱める場合には、上記と逆に操作して２つのプーリ４７，４８間の距離を短くすれば良い。いずれにしても開閉蓋ボックス３９を閉じた状態でＶベルト４９が掛け渡される両プーリ４７，４８間の距離を変更することができるので、Ｖベルト４９の張力を調節することができる。
【００２４】
なお、上記実施形態においては、第一テンションローラ３１を１個とし、第二テンションローラ４０，４０を２個としたものを示したが、これらを逆に構成しても良いし、それぞれ１個ずつでも良いし、複数個ずつでも良い。
【図面の簡単な説明】
【００２５】
【図１】実施形態に係る玉揚送装置が適用されるパチンコ島台の中央部分の一側から見た側面図である。
【図２】玉揚送装置を後方から見た斜視図である。
【図３】玉揚送装置の側面図である。
【図４】玉揚送装置の下方部分であって開閉蓋ボックスを開放した状態を示す斜視図である。
【図５】玉揚送装置の下方部分の側面図である。
【図６】玉揚送装置の下方部分のモータと下部ローラとの関係を示す斜視図である。
【図７】開閉蓋ボックスを開放したときのモータと下部ローラとの関係を示す斜視図である。
【図８】従来の玉揚送装置の側面図である。
【符号の説明】
【００２６】
１０  玉揚送装置
１１  支持台
１２  揚送筒本体
１３  下部ローラ
１４  上部ローラ
１５  搬送ベルト
２０  ガイドレールカバー
３０  固定ボックス
３１  第一テンションローラ
３２  調節支持杆（調節機構）
３３  ナット（調節機構）
３９  開閉蓋ボックス
４０  第二テンションローラ
４５  モータ取付板
４６  モータ
４７  小径プーリ
４８  大径プーリ
４９  Ｖベルト（駆動ベルト）
５０  縦長穴
５１  固定ボルト
５２  下部調節ボルト
５３  螺着片
５４  上部調節ボルト
５５  螺着片
５６  挟持板
【図１】
2007054659.tif 000003
【図２】
2007054659.tif 000004
【図３】
2007054659.tif 000005
【図４】
2007054659.tif 000006
【図５】
2007054659.tif 000007
【図６】
2007054659.tif 000008
【図７】
2007054659.tif 000009
【図８】
2007054659.tif 000010
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
モータによって揚送筒本体の上下に回転自在に軸支される上部ローラ及び下部ローラ間を周回せしめられる搬送ベルトによってパチンコ玉を揚送する玉揚送装置において、
前記揚送筒本体に固定される固定ボックスに対して開閉自在に設けられる開閉蓋ボックスの裏面に前記モータを固着し、該モータの出力軸に固着されるプーリと前記下部ローラの回転軸に固着されるプーリとに掛け渡される駆動ベルトを前記開閉蓋ボックスの軸支側に設けたことを特徴とする玉揚送装置。
【請求項２】
前記モータは、モータ取付板を介して前記開閉蓋ボックスの裏面に取り付けられ、
前記モータ取付板を前記開閉蓋ボックスに対して上下方向に移動できるように取り付けると共に、その移動範囲内の任意の位置で固定できることを特徴とする請求項１記載の玉揚送装置。
【手続補正２】
【補正対象書類名】明細書
【補正対象項目名】全文
【補正方法】変更
【補正の内容】
【発明の詳細な説明】
【技術分野】
【０００１】
本発明は、揚送筒本体の上下に回転自在に軸支される上部ローラ及び下部ローラ間を周回せしめられる搬送ベルトによってパチンコ玉を揚送する玉揚送装置に関するものである。
【背景技術】
【０００２】
従来、図８に示すように、モータ４６によって揚送筒本体１２の上下に回転自在に軸支される上部ローラ１４及び下部ローラ１３間を周回せしめられる搬送ベルト１５によってパチンコ玉を揚送する玉揚送装置１０においては、搬送ベルト１５に張力を付与するために搬送ベルト１５が交互に掛け渡される複数のテンションローラ３１，４０，４０のすべてが揚送筒本体１２側に回転自在に固着され、また、搬送ベルト１５を駆動するためのモータ４６が支持台１１に支持固定されるモータ取付台４６ａに固着されていた。
【発明の開示】
【発明が解決しようとする課題】
【０００３】
このため、モータ４６の出力軸に固着されるプーリと下部ローラ１３の回転軸に固着されるプーリとに駆動ベルトとしてのＶベルトを掛け渡すことにより、モータ４６の駆動力で搬送ベルト１５を回転させるようになっているが、モータ４６を固定するモータ取付台４６ａがＶベルトの張力を調節し得る程度の僅かな距離移動し得るように固定されているものの、Ｖベルトを簡単に取り外せるほど移動し得るように形成されていないので、Ｖベルトの着脱作業も面倒であり時間のかかるものであった。更に、支持台１１にモータ取付台４６ａを図示のように平行状に設けなければならなかったので、その取付スペースも比較的大きくなるという欠点があった。本発明は、上記した事情に鑑みなされたもので、その目的とするところは、パチンコ玉を揚送する搬送ベルトを駆動するためのモータに掛け渡される駆動ベルトの着脱作業を極めて簡単に行うことができると共に、モータの取付スペースを抑制することができる玉揚送装置を提供することにある。
【課題を解決するための手段】
【０００４】
上記した目的を達成するために、本発明においては、図３乃至図７に示すように、モータ４６によって揚送筒本体１２の上下に回転自在に軸支される上部ローラ１４及び下部ローラ１３間を周回せしめられる搬送ベルト１５によってパチンコ玉を揚送する玉揚送装置１０において、前記揚送筒本体１２に固定される固定ボックス３０に対して開閉自在に設けられる開閉蓋ボックス３９の裏面に前記モータ４６を固着し、該モータ４６の出力軸に固着されるプーリ４７と前記下部ローラ１３の回転軸に固着されるプーリ４８とに掛け渡される駆動ベルトとしてのＶベルト４９を前記開閉蓋ボックス３９の軸支側に設けたことを特徴とする。また、前記モータ４６は、モータ取付板４５を介して前記開閉蓋ボックス３９の裏面に取り付けられ、前記モータ取付板４５を前記開閉蓋ボックス３９に対して上下方向に移動できるように取り付けると共に、その移動範囲内の任意の位置で固定できることを特徴とする。
【発明の効果】
【０００５】
開閉蓋ボックス３９を開放したときに、Ｖベルト４９が掛け渡される２つのプーリ４７，４８が極めて近付く位置関係となるため、簡単にＶベルト４９を取り外し又は取り付けることができる。更に、モータ４６が開閉蓋ボックス３９の裏面に固着されるため、モータ４６の取付スペースも少なくて済む。また、開閉蓋ボックス３９を閉じた状態でＶベルト４９が掛け渡される両プーリ４７，４８間の距離を変更することができるので、Ｖベルト４９の張力を調節することができる。
【発明を実施するための最良の形態】
【０００６】
以下、図面を参照して本発明の実施形態について説明する。まず、図１を参照して、本実施形態に係る玉揚送装置１０が設けられるパチンコ島台１の概略構成について説明する。図１は、実施形態に係るパチンコ島台１の中央部分の一側から見た側面図である。図において、パチンコ島台１は、周知のように、直方体状に枠組み構成され、その長手方向側面中央にパチンコ機２を背向列設するようになっている。また、パチンコ島台１には、その中央部に揚送装置収納部３が構成され、該揚送装置収納部３内に本実施形態の要部を構成する玉揚送装置１０が収納設置されている。本実施形態に係る玉揚送装置１０は、後に詳述するように帯状の搬送ベルト１５によってパチンコ玉を揚送するものである。なお、詳細に図示しないが、玉揚送装置１０の上部には、揚送されたパチンコ玉を一時的に貯留する上部タンクが設けられ、その上部タンクから左右に補給樋が傾斜状に設けられており、上部タンクからパチンコ玉を流下させるようになっている。補給樋には、各パチンコ機２に対応して分配シュートが設けられ、補給樋を流下するパチンコ玉を取り込むようになっている。分配シュートによって取り込まれたパチンコ玉は、下部に設けられる計数装置によって計数された後、パチンコ機２の背面上部に設けられる賞球タンクに供給され、遊技によって遊技者に払い出される賞球として使用される。
【０００７】
一方、各パチンコ機２から排出される使用済玉は、周知のように計数機能を有するアウト玉回収箱から下方に排出される。アウト玉回収箱から排出されたパチンコ玉は、アウト玉誘導レールや貯留タンクを介して玉揚送装置１０の導入樋１６に誘導される。
【０００８】
次に、本実施形態の要部を構成する玉揚送装置１０の全体の構成について図２乃至図７を参照して説明する。図２は、玉揚送装置１０を後方から見た斜視図であり、図３は、玉揚送装置１０の側面図であり、図４は、玉揚送装置１０の下方部分であって開閉蓋ボックス３９を開放した状態を示す斜視図であり、図５は、玉揚送装置１０の下方部分の側面図であり、図６は、玉揚送装置６の下方部分のモータ４６と下部ローラ１３との関係を示す斜視図であり、図７は、開閉蓋ボックス３９を開放したときのモータ４６と下部ローラ１３との関係を示す斜視図である。
【０００９】
図において、玉揚送装置１０は、支持台１１の上部に揚送筒本体１２が垂直状に立設され、揚送筒本体１２の周囲を下部に支持される下部ローラ１３と上部ローラ１４との間に掛け渡される革製の搬送ベルト１５が周回するようになっている。この搬送ベルト１５の周回駆動は、後に詳述するテンションローラ機構が一体的に設けられるボックス３０，３９のうちの開閉蓋ボックス３９の裏面に固着されるモータ取付板４５に固定されるモータ４６と下部ローラ１３とが駆動ベルトとしてのＶベルト４９によって連結されることによって行われる。また、搬送ベルト１５に張力を付与するために複数のテンションローラ機構が下部ローラ１３の上部の揚送筒本体１２に取り付けられている。そして、揚送筒本体１２の下部には、玉磨き前のパチンコ玉が流入して複数列に整列せしめられる導入樋１６が接続され、揚送筒本体１２の上部には、玉磨き後のパチンコ玉が排出される上部屈曲樋１８及び排出樋１９が接続されている。
【００１０】
したがって、導入樋１６から流入したパチンコ玉は、搬送ベルト１５によって揚送され、排出樋１９から排出されるが、その揚送される過程で後述するガイドレールカバー２０に周設される布ベルトとの摩擦力によってパチンコ玉に付着した汚れが拭き取られ、排出樋１９からは、奇麗にされたパチンコ玉が排出されることになる。なお、導入樋１６には、図３に示すように、導入樋１６の傾斜角を調整する傾斜角調整ボルト１７が設けられている。この傾斜角調整ボルト１７には、スプリングが周設されており、内部を流れる玉によって導入樋１６に無理な力が加わったときでも玉がスムーズに整列されるような構造となっている。
【００１１】
一方、前記した揚送筒本体１２の背面側には、ガイドレールカバー２０が着脱自在に取り付けられるようになっている。このガイドレールカバー２０は、前記搬送ベルト１５や布ベルトを玉揚送装置１０に装着する際に取り外されるものであると共に、布ベルト自体がガイドレールカバー２０を周回するように装着される。そして、搬送ベルト１５や布ベルトが装着された時には、止め金具２５によってガイドレールカバー２０を揚送筒本体１２に対面させた状態に維持される。ただし、揚送筒本体１２とガイドレールカバー２０との間には、隙間が形成されることとなるが、この隙間は、止め金具２５の固着位置を調節することによってその寸法を設定することができ、その設定値に応じて揚送されるパチンコ玉への圧力を変化させることができる。また、ガイドレールカバー２０には、その背面に使用前のロール状布ベルトを装着する使用前布ベルト装着部２１と使用済の布ベルトをロール状に巻き取るための使用済布ベルト装着部２２とが設けられ、その上端後部に布ベルトを案内するためのローラ２３が設けられている。
【００１２】
しかして、使用前布ベルト装着部２１に装着された布ベルトは、ガイドレールカバー２０の下端から前面を通ってローラ２３に掛け渡され、その後、使用済布ベルト装着部２２に巻き付けられる。そして、そのように布ベルトを装着した状態で止め金具２５でガイドレールカバー２０を揚送筒本体１２に装着することにより、布ベルトと搬送ベルト１５とを対面させ、搬送ベルト１５を周回動作させることによりパチンコ玉がガイドレールカバー２０の前面に形成される複数の玉通路に嵌り込みながら布ベルトに汚れをふき取られながら上昇するものである。なお、営業終了時には、使用前布ベルト装着部２１に設けられるチャッキング装置を弛めて布ベルトが移動し得るようにした状態で、裏面上部の布ベルトを引っ張って未使用面をガイドレールカバー２０の前面側に位置させるようにし、その引っ張って余った布ベルトを使用済布ベルト装着部２２を巻き付け、前記チャッキング装置を締め付ける。これによって、翌日の研磨に対する準備が終了する。また、この布ベルトの巻き取り作業は、ガイドレールカバー２０を揚送筒本体１２から取り外した状態で行っても、あるいは取り付けたままの状態でも行うことができるが、新規な布ベルトを交換する場合には、ガイドレールカバー２０を揚送筒本体１２から取り外す必要がある。
【００１３】
また、上記した玉揚送装置１０の揚送筒本体１２とガイドレールカバー２０とは、揚送筒本体１２の両側面の複数箇所に止着されている止め金具２５によって取り付けられるが、その止め金具２５は、ガイドレールカバー２０の側面から突設される係合突起２４を支持し係合するものであり、揚送筒本体１２の両側面の複数箇所に設けられる止め金具２５が連結杆２６で連結され、該連結杆２６を下方に移動させた位置で固定するキャッチクリップ２７で係止することにより、止め金具２５と係合突起２４との係合状態を解除し、ガイドレールカバー２０を揚送筒本体１２に対して取り外すことができる。逆に、キャッチクリップ２７の係止状態を外すことにより、止め金具２５と係合突起２４とを係合状態にしてガイドレールカバー２０を揚送筒本体１２に対して取り付けることができる。なお、図２に示すように、ガイドレールカバー２０を揚送筒本体１２に対してその一側を蝶番２８によって連結しても良い。この場合には、蝶番２８によって連結される側の止め金具２５を省略しても良いが、蝶番２８の固定に関しては、揚送筒本体１２とガイドレールカバー２０との間の隙間を調節し得るように移動可能に固定し得ることが望ましい。
【００１４】
次に、本実施形態の要部を構成するテンションローラ機構及び搬送ベルト１５の駆動源であるモータ４６の取付構造について、図３乃至図７を参照して説明する。テンションローラ機構は、一方のテンションローラを構成する第一テンションローラ３１を回転自在に軸支すると共に前記揚送筒本体１２に固着される固定ボックス３０と、該固定ボックス３０に開閉自在に軸支され且つ他方のテンションローラを構成する第二テンションローラ４０，４０を回転自在に軸支する開閉蓋ボックス３９に集約して構成されるものである。以下、この構成について詳細に説明する。
【００１５】
固定ボックス３０は、前面及び上下面が開放したコ字状の板材によって構成されており、その中程に第一テンションローラ３１が回転自在に軸支されている。即ち、固定ボックス３０の中程両側に螺着支持される調節支持杆３２に第一テンションローラ３１の回転軸が連結支持されている。そして、調節支持杆３２の後端は、固定ボックス３０の裏面に突出してナット３３で締着するようになっている。しかして、ナット３３を弛めて調節支持杆３２を回転せしめることにより第一テンションローラ３１を前後方向に長さ調節し得るようになっている。したがって、調節支持杆３２及びナット３３は、調節機構を構成するものである。なお、調節支持杆３２を固定ボックス３０に螺着することに代えて、調節支持杆３２を固定ボックス３０に貫通自在に設けると共に調節支持杆３２にスプリングを周設し、調節支持杆３２の固定ボックス３０から外側に突出する後端にナットを螺着することにより、ナットの螺着位置で調節支持杆３２の長さを調節すると共に周設されるスプリングで第一テンションローラ３１を常に前方に付勢するようにしても良い。このように構成することにより、搬送ベルト１５の旋回中でも常時調節支持杆３２に周設されるスプリングにより搬送ベルト１５に最適な張力を付与することができる。
【００１６】
また、固定ボックス３０には、その一側であって第一テンションローラ３１の上部に支持片３６が突設され、該支持片３６に雌ネジが形成される固定穴３５を有する揺動固定部材３４が支点ボルト３７によって揺動自在に取り付けられている。この揺動固定部材３４は、開閉蓋ボックス３９を閉止する際に、開閉蓋ボックス３９に設けられる固定ボルト４３を固定穴３５に螺合するためのものであり、初期の段階で固定ボルト４３の先端が固定穴３５に正確に対面するように揺動自在に設けられるものである。
【００１７】
上記した固定ボックス３０に開閉自在に取り付けられる開閉蓋ボックス３９は、図６に示すように、蝶番３８によって開閉自在に取り付けられるものであるが、その上下には、開閉蓋ボックス３９の内側上下左右に固着される支持片４１，４２に第二テンションローラ４０，４０が回転自在に軸支されている。この第二テンションローラ４０，４０の支持片４１，４２に対する固定は、ボルト等によって完全に固定されるものであり、第一テンションローラ３１のように前後方向に調節する調節機能はない。しかし、第二テンションローラ４０，４０を前後方向に移動し得るようにして前記と同様な調節機能を設けても良い。
【００１８】
また、開閉蓋ボックス３９の開放側のほぼ中央には、固定ボルト４３が回転自在に遊嵌されており、該固定ボルト４３の先端の六角頭部４４が開閉蓋ボックス３９の裏面側に突出している。しかして、開閉蓋ボックス３９を固定ボックス３０に対して閉止するときには、固定ボルト４３の先端を揺動固定部材３４の固定穴３５に対応させて六角頭部４４をスパナ等の工具で螺着することにより、開閉蓋ボックス３９を固定ボックス３０に閉止することができる。
【００１９】
ところで、開閉蓋ボックス３９を開放した状態では、第一テンションローラ３１の前方に搬送ベルト１５を位置させておき、その状態で上記したように固定ボルト４３と固定穴３５とを螺合することにより、第５図に示すように、第一テンションローラ３１と第二テンションローラ４０，４０とが同一垂直線上に並び、搬送ベルト１５が第一テンションローラ３１と第二テンションローラ４０，４０とに交互に掛け渡された状態となる。つまり、開閉蓋ボックス３９を閉じるだけで搬送ベルト１５に張力を付与することができるので、搬送ベルト１５の着脱の際に、いずれのテンションローラ３１，４０，４０を取り外す必要がなく、その作業を極めて簡単に行うことができる。なお、第一テンションローラ３１と第二テンションローラ４０，４０とが必ずしも同一垂直線上に並ぶ必要はなく、要は、搬送ベルト１５が複数のテンションローラ３１，４０，４０によって交互に掛け渡されて張力が付与される構造であれば良い。
【００２０】
また、上記した開閉蓋ボックス３９の裏面には、モータ取付板４５を介してモータ４６が取り付けられるようになっている。モータ４６の出力軸には、小径のプーリ４７が固着され、この小径プーリ４７と前記下部ローラ１３の回転軸に固着される大径プーリ４８との間にＶベルト４９を掛け渡すことにより、モータ４６の回転駆動力が下部ローラ１３に伝達されて搬送ベルト１５が揚送筒本体１２を周回するようになっている。
【００２１】
ところで、モータ取付板４５の上下の二箇所（ただし、下方部の二箇所は図示せず）には、図７に示すように、縦長穴５０が穿設され、該縦長穴５０を貫通して固定ボルト５１が螺着されている。更に、図５に示すように、モータ取付板４５の下辺の一部に当接するように下部調節ボルト５２が開閉蓋ボックス３９から水平状に突設される螺着片５３に螺着され、一方、図７に示すように、モータ取付板４５の上辺の一部に当接するように上部調節ボルト５４が開閉蓋ボックス３９から水平状に突設される螺着片５５に螺着されている。なお、上部調節ボルト５４の下端には、挟持板５６が固着されており、この挟持板５６がモータ取付板４５の上辺と直接的に当接するようになっている。これと同様に、下部調節ボルト５２にも挟持板を固着してモータ取付板４５の下辺と直接的に当接するようにしても良い。
【００２２】
しかして、上記のように構成されるモータ４６と下部ローラ１３との関係において、六角頭部４４をスパナ等の工具によって回転せしめて固定ボルト４３と固定穴３５との螺合を解除し、開閉蓋ボックス３９を閉成した状態から開放した状態としたときに、図７に示すように、Ｖベルト４９が掛け渡される２つのプーリ４７，４８が極めて近付く位置関係となるため、特別な治具を使用しなくても簡単にＶベルト４９を取り外すことができる。また、逆に、開閉蓋ボックス３９を閉成する前の２つのプーリ４７，４８が近付いている状態でＶベルト４９を２つのプーリ４７，４８に掛け渡し、その掛け渡した状態のまま開閉蓋ボックス３９を閉成し、揺動固定部材３４を揺動させて固定穴３５と固定ボルト４３とを対応させて六角頭部４４を回転せしめることにより、極めて簡単にＶベルト４９を取り付けることができる。更に、モータ４６が開閉蓋ボックス３９の裏面に固着されるため、従来のようにモータ取付台を支持台１１と平行状に設けていないので、モータ４６の取付スペースも少なくて済む。
【００２３】
また、図５及び図７に示すように、開閉蓋ボックス３９を閉じ且つ２つのプーリ４７，４８間にＶベルト４９を掛け渡した状態でモータ取付板４５の固定ボルト５１を弛め、Ｖベルト４９の張力を強くしたい場合には、上部調節ボルト５４を弛めた後、下部調節ボルト５２を上昇せしめるように回転することにより、モータ取付板４５を上方に移動させることができて２つのプーリ４７，４８間の距離を長くすることができ、Ｖベルト４９の張力を強め、最後に上部調節ボルト５４を締着して調節した張力を長期間に亘って保持することができる。逆に、Ｖベルト４９の張力を弱める場合には、上記と逆に操作して２つのプーリ４７，４８間の距離を短くすれば良い。いずれにしても開閉蓋ボックス３９を閉じた状態でＶベルト４９が掛け渡される両プーリ４７，４８間の距離を変更することができるので、Ｖベルト４９の張力を調節することができる。
【００２４】
なお、上記実施形態においては、第一テンションローラ３１を１個とし、第二テンションローラ４０，４０を２個としたものを示したが、これらを逆に構成しても良いし、それぞれ１個ずつでも良いし、複数個ずつでも良い。
【図面の簡単な説明】
【００２５】
【図１】実施形態に係る玉揚送装置が適用されるパチンコ島台の中央部分の一側から見た側面図である。
【図２】玉揚送装置を後方から見た斜視図である。
【図３】玉揚送装置の側面図である。
【図４】玉揚送装置の下方部分であって開閉蓋ボックスを開放した状態を示す斜視図である。
【図５】玉揚送装置の下方部分の側面図である。
【図６】玉揚送装置の下方部分のモータと下部ローラとの関係を示す斜視図である。
【図７】開閉蓋ボックスを開放したときのモータと下部ローラとの関係を示す斜視図である。
【図８】従来の玉揚送装置の側面図である。
【符号の説明】
【００２６】
１０  玉揚送装置
１１  支持台
１２  揚送筒本体
１３  下部ローラ
１４  上部ローラ
１５  搬送ベルト
２０  ガイドレールカバー
３０  固定ボックス
３１  第一テンションローラ
３２  調節支持杆（調節機構）
３３  ナット（調節機構）
３９  開閉蓋ボックス
４０  第二テンションローラ
４５  モータ取付板
４６  モータ
４７  小径プーリ
４８  大径プーリ
４９  Ｖベルト（駆動ベルト）
５０  縦長穴
５１  固定ボルト
５２  下部調節ボルト
５３  螺着片
５４  上部調節ボルト
５５  螺着片
５６  挟持板